(57)【要約】【解決手段】メッセージソースからセルラシステム内の移動局へメッセージを転送する方法およびシステムは、メッセージが移動局に送信される前に各メッセージに優先度特性を割り当てることを含む。次に、メッセージは優先度特性に依存して、割り当てられた優先度特性と共に送信される。優先度特性は移動局において検査され、優先度特性に依存して移動局において処理される。
2005513887.tif 000002
【特許請求の範囲】
【請求項１】
下記を具備する、メッセージソースからセルラシステム内の移動局にメッセージを転送する方法：
各メッセージに優先度特性を割り当てる；
前記メッセージを前記割り当てられた優先度特性と共に移動局に送信する、前記メッセージの送信は、前記優先度特性に依存する；
前記優先度特性を前記移動局において検査する；および
前記優先度特性に依存して前記移動局において前記メッセージを処理する。
【請求項２】
前記優先度特性の割り当ては、前記メッセージソースを特定する割り当て情報を具備する、請求項１記載の方法。
【請求項３】
前記優先度特性の割り当ては、前記メッセージを時間依存するものとして定義する割り当て時間情報を具備する、請求項１または２記載の方法。
【請求項４】
前記優先度特性の割り当ては、前記メッセージを位置依存するものとして定義する割り当て位置情報を具備する、請求項１または２または３記載の方法。
【請求項５】
前記優先度特性の割り当ては、前記メッセージを即時表示のためのメッセージとして定義する割り当て表示情報を具備する、請求項１または２または３または４記載の方法。
【請求項６】
前記優先度特性の割り当ては、前記メッセージを次の表示のために記憶されるメッセージとして定義する割り当て表示情報を具備する、請求項１及至４のいずれかに記載の方法。
【請求項７】
前記メッセージは前記メッセージソースにおいて発生され、前記移動局へのオンワード送信のためにメッセージサービスセンタに送信される、請求項１または２または３または４または５または６記載の方法。
【請求項８】
前記優先度特性は、前記メッセージサービスセンタにおいて各メッセージに割り当てられる、請求項７記載の方法。
【請求項９】
前記優先度特性は、前記メッセージソースにおいて各メッセージに割り当てられる、請求項１及至７のいずれかに記載の方法。
【請求項１０】
前記メッセージの前記優先度特性に依存して前記移動局において表示のための前記メッセージを記憶することをさらに具備する、請求項１記載の方法。
【請求項１１】
前記優先度特性の割り当ては、前記メッセージソースを特定するための情報を割り当てることを具備し、前記メッセージソースが周知なら前記メッセージが記憶される、請求項１０記載の方法。
【請求項１２】
前記優先度特性の割り当ては、前記メッセージを時間依存するものとして定義する割り当て時間情報を具備し、前記時間情報が現在のものであるならば前記メッセージが記憶される、請求項１１記載の方法。
【請求項１３】
前記優先度特性の割り当ては、前記メッセージを位置依存するものとして定義する位置情報を割り当てることを具備し、前記位置情報が現在のものであるなら、前記メッセージが記憶される、請求項１１または１２記載の方法。
【請求項１４】
より高い優先度のメッセージの記憶を可能にするように、より高い優先度の新しいメッセージが受信されるなら、より低い優先度の以前に記憶されたメッセージを削除することをさらに具備する、請求項１または２または３または４または５または６または７または８または９または１０または１１または１２または１３記載の方法。
【請求項１５】
下記を具備する、メッセージソースからセルラシステム内の移動局にメッセージを転送するシステム：
各メッセージに優先度特性を割り当てる手段；
前記メッセージを前記割り当てられた優先度特性と共に移動局に送信する手段、前記メッセージの送信は、前記優先度特性に依存する；
前記移動局において前記優先度特性を検査する手段；および
前記優先度特性に依存して、前記移動局において前記メッセージを処理する手段。
【請求項１６】
前記優先度特性を割り当てる手段は、前記メッセージソースを特定する情報を割り当てる手段を具備する、請求項１５記載のシステム。
【請求項１７】
前記優先度特性を割り当てる手段は、前記メッセージを時間依存するものとして定義する時間情報を割り当てる手段を具備する、請求項１５または１６に記載のシステム。
【請求項１８】
前記優先度特性を割り当てる手段は、前記メッセージを位置依存するものとして定義する位置情報を割り当てる手段を具備する、請求項１５または１６または１７記載のシステム。
【請求項１９】
前記優先度特性を割り当てる手段は、前記メッセージを即時表示のためのメッセージとして定義する表示情報を割り当てる手段を具備する、請求項１５及至１８のいずれかに記載のシステム。
【請求項２０】
前記優先度特性を割り当てる手段は、前記メッセージを次の表示のために記憶されるメッセージとして定義する表示情報を割り当てる手段を具備する、請求項１５及至１８のいずれかに記載のシステム。
【請求項２１】
前記メッセージは前記メッセージソースにおいて発生され、前記移動局へのオンワード送信のためにメッセージサービスセンタに送信される、請求項１５及至２０のいずれかに記載のシステム。
【請求項２２】
前記優先度特性は、前記メッセージサービスセンタにおいて各メッセージに割り当てられる、請求項２１記載のシステム。
【請求項２３】
前記優先度特性は、前記メッセージソースにおいて各メッセージに割り当てられる、請求項１５及至２１のいずれかに記載のシステム。
【請求項２４】
前記メッセージの前記優先度特性に依存して前記移動局において表示のための前記メッセージを記憶する手段をさらに具備する、請求項１５記載のシステム。
【請求項２５】
前記優先度特性を割り当てる手段は、前記メッセージソースを特定する情報を割り当てる手段を具備し、前記メッセージソースが周知なら前記メッセージが記憶される、請求項２４記載のシステム。
【請求項２６】
前記優先度特性を割り当てる手段は、前記メッセージを時間依存するものとして定義する時間情報を割り当てる手段を具備し、前記時間情報が現在のものであるなら、前記メッセージが記憶される、請求項２５記載のシステム。
【請求項２７】
前記優先度特性を割り当てる手段は、前記メッセージを位置依存するものとして定義する位置情報を割り当てる手段を具備し、前記位置情報が現在のものであるなら、前記メッセージが記憶される、請求項２５または２６記載のシステム。
【請求項２８】
より高い優先度のメッセージの記憶を可能にするように、より高い優先度の新しいメッセージが受信されるなら、より低い優先度の以前に記憶されたメッセージを削除する手段をさらに具備する、請求項１５及至２７のいずれかに記載のシステム。
【請求項２９】
下記を具備する、メッセージを受信する移動局：
メッセージソースからのメッセージを含む信号を受信する受信器、前記メッセージは割り当てられた優先度特性を有する；
メッセージデータを記憶する記憶装置；および
前記メッセージの前記優先度特性を検査し、前記優先度特性に依存して前記メッセージデータを前記記憶装置に記憶するコントローラ。
【請求項３０】
前記メッセージ内の情報を表示するための表示スクリーンをさらに具備し、前記優先度特性は表示情報を具備し、および前記コントローラは、前記表示スクリーン上に表示するために前記メッセージを出力し、または次の表示のためのメッセージを記憶することにより前記表示情報に応答するように構成される、請求項２９記載の移動局。
【請求項３１】
前記優先度特性は、前記メッセージソースを特定する情報を具備し、および前記コントローラは、前記メッセージソースが周知なら前記メッセージを前記記憶装置に記憶することにより前記優先度特性に応答するように構成される、請求項２９または３０記載の移動局。
【請求項３２】
現在の時間を特定するためのクロック回路をさらに具備し、前記優先度特性は、前記メッセージを時間依存するものとして定義する時間情報を具備し、および前記コントローラは前記クロック回路に接続され、前記時間情報が現在のものであるなら、前記メッセージを前記記憶装置に記憶することにより前記優先度特性に応答するように構成される、請求項２９または３０または３１記載の移動局。
【請求項３３】
現在位置を特定する位置回路をさらに具備し、前記優先度特性は、前記メッセージを位置依存するものとして定義する位置情報を具備し、および前記コントローラは前記位置回路に接続され、前記位置情報が現在のものであるなら、前記メッセージを前記記憶装置に記憶することにより前記優先度特性に応答するように構成される、請求項２９及至３２のいずれかに記載の移動局。
【請求項３４】
前記コントローラは、メッセージ優先度を定義するルックアップテーブルを具備し、より高い優先度のメッセ−ジを前記記憶装置に記憶可能にするように、前記より高い優先度の新しいメッセージが受信されるなら、より低い優先度の以前に記憶されたメッセージを削除するように構成される、請求項２９及至３２のいずれかに記載の移動局。
【発明の詳細な説明】
【技術分野】
【０００１】
この発明は、一般に、移動体通信環境においてメッセージを処理する方法および装置に関する。
【背景技術】
【０００２】
移動体通信サービスの特徴は、局（一般には、２つの移動局）間でテキストベースのメッセージを送信してもよいサービスである、いわゆるショートメッセージサービス（ＳＭＳ）である。このサービスは、特にデジタルネットワーク、例えばＣＤＭＡおよびＧＳＭネットワークに使用される。ＳＭＳｓは顧客に人気があり、また、収入を増加するための方法として顧客を見るサービスプロバイダにも人気があることを証明した。
【０００３】
ＳＭＳメッセージサービスは、極めて人気がありファッショナブルであることが証明され、そして、次世代（いわゆる３Ｇ）のセルラーサービスが利用可能になるにつれ、収入を増加させる手段の１つとしてサービス会社により見られている。しかしながら、上述した現在のＳＭＳ構成には問題がある。現在、送受器は、（ショートメッセージサービス仕様により定義される）１種類のメッセージについてしか知らず、従って、すべてのメッセージは均等な優先度を有している。これは、言い換えると、特定のメッセージが他のメッセージより、より重要であるかどうかまたはメッセージを今表示すべきかどうかまたは後で見るために記憶すべきかどうかの区別するための方法が無いことを意味する。
【０００４】
移動局は、ＳＭＳメッセージ等を記憶するために移動局に利用可能な限られた量のメモリしか有していない。メモリが一杯になると、メモリ内のスペースがクリアされるまで、移動局がさらなるＳＭＳメッセージを受信することは不可能である。従って、移動局が空きメモリ容量が無いとして特定されたかどうかに関わらず、移動局が手の届かないもの(unreachable)として特定されなかったなら、上述した優先度メッセージの配信が試みられるであろう。
【発明の開示】
【発明の概要】
【０００５】
３Ｇサービスが実現し始めるにつれ、ネットワーク（一般には、携帯電話サービスプロバイダ）は、送受器の位置に基づいてメッセージを送受器に向けることにより収入を増加させるための方法に注目している。ネットワークが３Ｇ（または後の）仕様に性能が高められた状態で、ネットワークは、ネットワーク内の三角測量または送受器内のＧＰＳ受信器を用いて各送受器の位置についての情報を保持するであろう。これは、ネットワークが位置感応サービスを各個々の送受器に向けることを可能にするであろう。理解できるように、これは、広告主から多量の利益を発生している。例えば、ユーザは、向かおうとしているデパートでの販売、または近くのレストランのランチタイム特別メニューを知らせるメッセージを受信するかもしれない。可能性は非常に大きい。
【０００６】
このすべてにおける１つの欠点は、移動送受器は、移動送受器が受信するメッセージを記憶するために一定量のメモリしか有していないということである。それゆえ、これらのメッセージをソートするまたはこれらのメッセージに優先順位をつけるためのシステムが必要である。これを行なうために、メッセージがどのように処理されるべきかを指示する優先度グループにメッセージが届いたときに、メッセージを分類する必要がある。主要な分類因子は、送信者のアイデンティティ(identity)であることもあり得る。（例えば、送受器電話帳を介して）送信者がユーザに知られていたなら、デフォルトアクション(default action)は、後の検索のためにメッセージをセーブし、ユーザにメッセージの到着を知らせることであろう。従って、ユーザは暇なときにメッセージを検索することができる。メッセージに任意の存続条件が付随するなら、そのメッセージは、存続条件がもはや真でなくなるまでセーブしなければならない。存続条件がもはや真でなくなった時点でメッセージは自動的に削除されなければならない。
【０００７】
送信者がユーザに知られていないなら、送受器は同様にメッセージに優先順位をつけることができる。
【０００８】
この発明は、移動局により受信されることもあり得る潜在的に大量ＳＭＳメッセージを処理し、それらに優先順位をつけるための方法および装置を提供することにより、移動送受器が受信することもあり得る潜在的に大量のメッセージを処理する問題を解決することを目指す。
【０００９】
この発明の観点によれば、メッセージソースからセルラシステム内の移動局へメッセージを転送する方法が提供される。この方法は、メッセージソースにおいて、各メッセージに優先度特性を割り当てること、そのメッセージを、割り当てられた優先度特性と共に移動局に送信し、メッセージの送信は、優先度特性に依存すること、移動局において優先度特性を検査すること、および優先度特性に依存して移動局においてメッセージを処理することを含む。
【００１０】
この発明の他の観点によれば、メッセージソースからセルラシステム内の移動局にメッセージを転送するシステムが提供される。このシステムは、各メッセージに優先度特性を割り当てる手段、メッセージを、割り当てられた優先度特性と共に移動局に送信する手段、メッセージの送信は優先度特性に依存する、移動局において、優先度特性を検査する手段、および優先度特性に依存して移動局においてメッセージを処理する手段を含む。
【００１１】
この発明は、またメッセージを受信するための移動局を提供する。移動局は、割り当てられた優先度特性を有する、メッセージソースからのメッセージを含む信号を受信する受信器、メッセージデータを記憶する記憶装置、およびメッセージの優先度特性を検査し、優先度特性に依存してメッセージデータを記憶装置に記憶するコントローラを含む。
【００１２】
この発明の上述のおよびさらなる特徴は特に、添付されたクレームに述べられ、その利点と共に、添付図面を参照してこの発明の例示実施の形態の以下の詳細な記述を考察することにより、より明白になるであろう。
【発明を実施するための最良の形態】
【００１３】
添付図面の図１は、ショートメッセージサービス（ＳＭＳ）施設を内蔵するセルラ通信システム１０を示す。ショートメッセージサービス（ＳＭＳ）は、移動送受器または移動局（ＭＳ）１１、１２、１３へのおよび移動局１１、１２、１３からの制限されたサイズのメッセージを送信する手段を提供する。ショートメッセージサービスの提供は、メッセージのための記憶装置およびフォワードセンターとして作動するサービスセンタ１４を使用する。２つの異なるポイントツーポイントサービスが定義された。これらの第１は、移動局１１、１２、１３から移動システムコントローラ（ＭＳＣ）１５に関連するＳＭＳサービスセンタ１４に移送されるであろう、モバイルオリジネーテッド(mobile originated)（ＭＯ）メッセージである。ＭＯメッセージは、基地局１７、１８を経由して，基地局コントローラ（ＢＳＣ）１９を介して、他の移動局１１、１２、１３、または移動システムコントローラ１５に接続された公衆交換電話網（ＰＳＴＮ）２０のような固定のネットワーク上の加入者におけるあて先に移送される。第２は、サービスセンタ１４から１つ以上の移動局１１、１２、１３に移送されるであろう、モバイルターミネーッテッド(mobile terminated)(ＭＴ）メッセージである。モバイルターミネーッテッド（ＭＴ）メッセージは、（メッセージを介して）他の移動ユーザによりまたは、例えば音声、テレックス、ファックス、ｅメール、マルチメディア、インターネット等（図示せず）のようなさまざまな他のサービスにより同じサービスセンタ１４に入力されてもよい。
【００１４】
ＳＭＳメッセージが送信されると、システムはいくつかの情報エレメントをＳＭＳメッセージに添付する。これらのエレメントは、サービスセンタ１４に配信優先順位データを供給するように意図され、以下のもの、すなわち、有効期間、サービスタイムタイムスタンプ、プロトコルＩＤ、送信すべきより多くのメッセージ、優先度、メッセージ待ち、およびアラートサービスセンタを定義または特定するデータを含む。これらのエレメントはどのようにしておよびいつ移動局１１、１２、１３へのＳＭＳメッセージの配信を試みるかを決定するためにサービスセンタ１４により使用される。
【００１５】
有効期間は、受取人への配信が実行される前にどのくらいの期間サービスセンタメモリ内のショートメッセージサービスの存在を保証しなければならないかを示す。サービスセンタタイムスタンプは、いつサービスセンタがショートメッセージサービスを受信したかに関する情報を保持する。サービスセンタタイムスタンプは、有効期間と一緒に使用され、いつショートメッセージサービスがサービスセンタから除去できるかを決定する。
【００１６】
優先度エレメントは、移動局に依存してサービスセンタが解釈する簡単なフラッグである。移動局が一時的に不在であるとして特定されたなら、非優先度メッセージの配信は試みられないであろう、そして、移動局１１、１２、１３が手の届かないものとして特定されなかったなら、優先度メッセージの配信は試みられるであろう。
【００１７】
移動局１１、１２、１３に配信されるＳＭＳメッセージ内に、送信者ＩＤ等のような種々の情報を有するいくつかのヘッダー情報エレメントがある。アドレスフィールドのフォーマットを表１に示す
【表１】
2005513887.tif 000003
【００１８】
アドレスの種類フィールドは、多数のフォーマットで送信者のアイデンティティを有する。アドレスの種類フィールドは、２つのエレメント、すなわち、番号の種類およびナンバリングプランアイデンティフィケーション(numbering-plan-identification）を含む。
【００１９】
番号の種類エレメントは、表２に設定されるように符号化された３ビットを含む。
【表２】
2005513887.tif 000004
【００２０】
ナンバリングプランアイデンティフィケーションエレメントは、表３に設定するように符号化された４ビットを含む。
【表３】
2005513887.tif 000005
【００２１】
番号の種類＝１０１の場合、ナンバリングプランアイデンティフィケーションビットは予備として取っておかれ、００００である。ここで留意すべきは、任意のエンティティサービスセンタのアドレッシングのために、ＭＳＣまたは移動局ナンバリングプランアイデンティフィケーション＝０００１が常に使用されるであろうということである。
【００２２】
３Ｇサービスが実現し始めるにつれ、ネットワーク（一般には、携帯電話サービスプロバイダ）は、送受器の位置に基づいてメッセージを送受器に向けることにより収入を増加させるための方法に注目している。ネットワークが３Ｇ（または後の）仕様に性能が高められた状態で、ネットワークは、ネットワーク内の三角測量または送受器内のＧＰＳ受信器を用いて各ハンドセットの位置についての情報を保持するであろう。これは、ネットワークが位置感応サービスを各個々の送受器に向けることを可能にするであろう。理解できるように、これは、広告主から多量の利益を発生している。例えば、ユーザは、向かおうとしているデパートでの販売、または近くのレストランのランチタイム特別メニューを知らせるメッセージを受信するかもしれない。可能性は非常に大きい。
【００２３】
このすべてにおける１つの欠点は、移動送受器は、移動送受器が受信するメッセージを記憶するために一定量のメモリしか有していないということである。それゆえ、これらのメッセージをソートするまたはこれらのメッセージに優先順位をつけるためのシステムが必要である。これを行なうために、メッセージがどのように処理されるべきかを指示する優先度グループにメッセージが届いたときに、メッセージを分類する必要がある。主要な分類因子は、送信者のアイデンティティ(identity)であることもあり得る。（例えば、送受器電話帳を介して）送信者がユーザに知られていたなら、デフォルトアクション(default action)は、後の検索のためにメッセージをセーブし、ユーザにメッセージの到着を知らせることであろう。従って、ユーザは暇なときにメッセージを検索することができる。メッセージに任意の存続条件が付随するなら、そのメッセージは、存続条件がもはや真でなくなるまでセーブしなければならない。存続条件がもはや真でなくなった時点でメッセージは自動的に削除されなければならない。
【００２４】
添付図面の図２は、優先順位のつけられたＳＭＳメッセージを管理することができる移動局１１の受信器を概略の形態で示す。移動局１１は、基地局１７、１８（図１参照）からの通信信号を受信しデコードする受信器およびデコーダ回路２２を含む。受信器およびデコーダ回路２２により実行される機能は、それ自体よく知られており、この発明に直接関係しない。それゆえ、受信器およびデコーダ回路２２の機能と動作は、ここでは、さらに詳細に記載されないであろう。
【００２５】
受信器およびデコーダ回路２２により受信されデコードされたＳＭＳメッセージは、バッファ２３に入力され、優先度データがコントローラ２４により検査される。コントローラ２４は、移動局１１の位置を特定する位置データをコントローラ２４に供給するＧＰＳ回路２６に接続される。ＧＰＳ回路２６により実行される機能は、それ自体よく知られており、種々の３Ｇ規格に関係する種々の公的に入手可能な文献に明記されており、それゆえ、ここでは、さらに詳細に記載する必要がない。
【００２６】
コントローラ２４はまた「周知」の番号を特定するデータが記憶されるディレクトリ２５から電話番号データを受信するために接続される。一般にこれはユーザにより移動局に入力されたデータであろう。ディレクトリは、コントローラが「周知の」ソースからのメッセージを特定することを可能にするためにコントローラのためのルックアップテーブルとしての役割を果たす。局部クロック回路２７は、現在の時刻を特定するデータをコントローラに供給する。時間データは、クロック回路２７により内部的に発生してもよくまたは良く知られているように、受信およびデコーダ回路により受信される信号に含まれる時間情報から導き出してもよい。
【００２７】
また、表示パネル２９上に表示するためにコントローラ２４により選択されるＳＭＳメッセージを記憶するために設けられる。記憶装置は、２つの部分、すなわち、現在の表示データのための１つ以上のメッセージを定義するデータを記憶するための表示記憶部分２８ａと、その後の表示のためにユーザによる選択のために利用可能なメッセージを定義するデータを記憶するための保持記憶部分２８ｂに分割される。実際には、記憶装置の２つの部分は、別箇の装置として供給されてもよいし、または２つの部分に分けられた単一の装置として供給されてもよい。記憶装置２８の形態は、実装選択の問題である。
【００２８】
コントローラ２４は、バッファ２３からの優先度情報、ディレクトリ２５からの番号、ＧＰＳ回路２６からの位置データ、およびクロック回路２７からの時間データを検査し、受信したＳＭＳメッセージのメッセージ内容を用いて何をすべきかを決定する。もちろん、メッセージに優先順位をつけてもよいいくつかの方法がある。一つの出発点は、周知のソースからの起源であるかどうかを見るためにＳＭＳメッセージ内のデータを見ることであろう。メッセージがよく知られている起源から来るなら、メッセージは、即時表示のために、または移動局のユーザによって必要に応じてその後の検索のために記憶装置に移ることもあり得る。
【００２９】
添付図面の図３は、移動局１１の送信器側を概略の形態で示す。送信器側の多くの装置は、上述した受信器側の装置と同じである。相違点のみを以下に記載する。移動局は、コントローラ２４に接続されたキーパッド３１（一般には、すべての携帯電話上のユビキタス(ubiquitous)数字キーパッドを含む。キーパッド上のキー（図示せず）のユーザ操作により文字を表すデータが発生されコントローラ２４に入力される。このようにして発生されたデータは、完全なメッセージが発生されるまで記憶装置２８の保持部２８ｂに保持される。
【００３０】
（ユーザがキーパッドを介して「送信」コマンドを入力することにより決定される）メッセージの送信準備ができると、メッセージデータがコントローラ２４によって記憶装置２８から読み出される。コントローラ２４は移動局を特定するデータをメッセージに付加し、所望なら、メッセージの時刻および移動局の送信の時刻における位置を特定するデータを付加する。時間および位置データは、ＧＰＳ回路２６およびクロック回路２７からコントローラ２４によって得られる。従って、コントローラ２４により編集されるデータは、ＳＭＳサービスセンター１４によるさらなる処理のためおよびオンワード(onward)送信のために通信信号を符号化し基地局に送信する符号化および送信回路３２に出力される。
【００３１】
移動局がＳＭＳメッセージを受信すると、そのメッセージに関連する優先度データが処理され、そのデータを用いて何をすべきかを決定する。以下の例では、受信する移動局のユーザに知られたソース（例えば、他のユーザの移動局）からのメッセージに最高の優先度が割り当てられると仮定されるであろう。ユーザがソースを知っているなら、入力されるＳＭＳメッセージは、即時のまたはその後の表示のためにセーブされる。
【００３２】
ユーザがＳＭＳメッセージの送信者を知らないなら、移動局１１は、以下の表４に述べるスキームのような所定のスキームに従ってメッセージに優先順位をつけてもよい。
【表４】
2005513887.tif 000006
【００３３】
表４で述べたスキームにおいて、優先度１が最も重要であり、最高の優先度のメッセージが記憶または表示のために優先される。より高い優先度のメッセージが存続するために記憶容量を必要とするなら、より高い優先度のメッセージはより低い優先度のメッセージを自動的に削除することができる。表４の考察から、適切な技能を持つ人々により理解されるであろうように、メッセージの優先順位づけは、メッセージ（またはメッセージヘッダ）に付加される３ビットしか必要とせず、優先度１および９を用いて既存のメッセージ処理をサポートすることができる。
【００３４】
（すでに説明したように）「送信者周知」フィールドは、ＳＭＳメッセージが移動局１１により受信されると評価される。従って、メッセージは、時間と位置に関する存続条件を有することしか必要としない。どのタイプをメッセージに適用するかを決定するための責任は、ネットワークにあるであろう。例えば、他の送受器からのメッセージは、存続および表示条件が偽の状態で送信されるであろう。従って、送受器は、送信者を認識するかまたはしないであろう。しかし、送受器は、後の検索および表示のためにメッセージを記憶装置２９に記憶するであろう。
【００３５】
広告の場合には、「表示のみ」条件を位置および／または存続時間と共に設定してもよい。これは、メッセージがユーザに関連している限り表示のために利用可能であるに過ぎず、記憶されないであろうことを保証するであろう。この種のメッセージの他の例は、ユーザが目的地に到達するまで、恐らく自動更新する現在位置から所望の目的地までの道順をユーザに与えることであろう。これらは、次世代の通信システムが提供できるであろうとネットワークオペレータが予測する付加価値サービスの種類である。
【００３６】
ショートメッセージサービス優先順位の好適実施は、移動局に存在するが、適切な情報構造を用いてショートメッセージサービスメッセージを配信するために移動ネットワークからのサポートを必要とする。優先順位スキームは、それ自体では、優先設備を含まない移動局と連動することができる。この場合、１６の可能なオプションを提示する上記表４は、２つのオプション、すなわちメッセージタイプ１および９に簡略化するであろう。この場合、送信者は移動局に周知であるかまたは周知でない。この簡単な強化でさえ有益であろう、そしてネットワークからの付加的なサポートを必要としない。時間ベースの存続、位置ベースの存続および表示のみのデータエレメントがショートメッセージサービス構造に付加されると、ネットワークサポートが必要とされる。
【００３７】
送信される付加データをカプセル化する、現在好適な１つの例は、表５に示すように複数のデータフィールドを有するようにアドレスフィールドを拡張することである。
【表５】
2005513887.tif 000007
【００３８】
フォーマットは、メッセージが表示のみ情報、存続時間情報、および存続位置情報を含む、含まないにかかわらず、拡張モードフィールドが信号に付加されるオクテットＮ＋１まで同じ状態のままである。拡張モードフィールドのための１つのフォーマットの一例が表６に提示される。
【表６】
2005513887.tif 000008
【００３９】
存続時間フィールドは、単位が拡張モードフィールドのビット３および４によって与えられる正の整数を保持する。存続位置エレメントの１つの方法は表７に提示される。
【表７】
2005513887.tif 000009
【００４０】
上述した優先順位づけスキームは、メッセージで完全に充填する、移動局内のメモリの可能性を低減するであろうことが理解されるであろう。しかしながら、メモリ内のメッセージがメモリの容量に達するであろういくつかの情況があるであろう。そのような情況の１つは、ユーザが単に移動局からの古いメッセージをわざわざ削除しない場合であろう。他のケースは、短期間に大量のメッセージが移動局に同時に到達する場合であろう。メモリが容量に達すると、コントローラ２４は、より高い優先度の入力メッセージのためにメモリ内に空き領域を作るようにメモリからの選択されたメッセージを削除するために優先順位をつけるデータを使用してもよい。コントローラは、ユーザにとって関心の無いメッセージを破棄するために（いくつかのｅメールアプリケーションで行なわれているのとほぼ同じように）ユーザが定義したフィルタを使用するように構成されていてもよい。
【００４１】
適切な技能を持った人々は、上述したスキームは、セルラ（または他の）通信システムにおいて適用してもよい多くの異なるスキームの１つであることを理解するであろう。この発明は上述した優先順位づけスキームに限定されない。
【００４２】
好適実施の形態を参照することによりこの発明を記載したが、論議されている実施の形態は例示に過ぎず、適切な知識と技能を持った人々が思いつくような変更および変形は、添付したクレームおよびその均等物に記載されたこの発明の精神および範囲を逸脱することなく行なってもよいことがよく理解されるべきである。
【図面の簡単な説明】
【００４３】
【図１】図１は、ショートメッセージサービス（ＳＭＳ）施設を内蔵するセルラ通信システムの概略システム図である。
【図２】図２は、図１のセルラ通信システムの移動局内の受信器の概略システム図である。
【図３】図３は、図１のセルラ通信システムの移動局内の送信器の概略システム図である。
【図１】
2005513887.tif 000010
【図２】
2005513887.tif 000011
【図３】
2005513887.tif 000012
【国際調査報告】
2005513887.tif 000013
2005513887.tif 000014